(57)【要約】【課題】分割盤部からなる遊技盤に取り付けられる取付部材を、交換、修理、リユース時を含めて、容易に取り付けることができるパチンコ遊技機の提供。【解決手段】パチンコ遊技機１は、遊技盤１４が、盤面に沿う方向で複数に分割された分割盤部１６，２１を連結させて構成される。分割盤部は、対応する相互の連結部位に、それぞれ、連結片部１８，２４を備える。分割盤部１６，２１相互は、対応する連結片部１８，２４相互を、前後方向で積層させる状態として、連結用筒体３１により、連結される。連結用筒体３１は、外周側に雄ねじ３１ａを設け、内周側にねじ孔３１ｂを備えて、構成され、積層させた連結片部１８，２４に貫通させつつ螺着させて、連結片部１８，２４相互を連結する。複数の連結用筒体３１の一つ３１Ａが、内周側のねじ孔３１ｂに螺合する取付ねじ３３により、遊技盤１４の前面１４ａ側に取り付けられる取付部材３４を取り付けている。【選択図】図６
2010099224.tif 000002
【特許請求の範囲】
【請求項１】
遊技盤が、盤面に沿う方向で複数に分割された分割盤部を連結させて構成されるパチンコ遊技機であって、
前記分割盤部が、対応する相互の連結部位に、それぞれ、遊技盤の前後方向で積層される連結片部を、備えて構成され、
前記分割盤部相互が、
対応する前記連結片部相互を、前後方向で積層させた状態として、
外周側に雄ねじを設けて内周側をねじ孔とした連結用筒体を、前記雄ねじを利用し、積層させた前記連結片部に貫通させつつ螺着させて、積層させた連結片部相互を締結することにより、
連結される構成とし、
前記連結用筒体が、複数使用されるとともに、複数の前記連結用筒体の少なくとも一つが、内周側のねじ孔により、遊技盤の前面側に取り付けられる取付部材を取り付けていることを特徴とするパチンコ遊技機。
【請求項２】
前記分割盤部相互の対応する前記連結片部が、前後方向に積層させる際に、前記分割盤部の相互の前面側を面一とするように、相互に嵌合可能な凹部若しくは凸部を設けて、構成されていることを特徴とする請求項１に記載のパチンコ遊技機。
【請求項３】
複数の前記連結用筒体の少なくとも一つが、前記ねじ孔を遊技盤の後面側まで貫通させて、配設されていることを特徴とする請求項１若しくは請求項２に記載のパチンコ遊技機。
【請求項４】
前記ねじ孔を遊技盤の後面側まで貫通させた前記連結用筒体が、内周側の前記ねじ孔を利用して、遊技盤の後面側に取り付けられる取付部材を取り付けていることを特徴とする請求項３に記載のパチンコ遊技機。
【請求項５】
遊技盤の前面側に前記取付部材を取り付けた前記連結用筒体の後面側に、光源が配設され、
該光源の前方の前記取付部材が、前記光源からの光を透過可能な透過材料から形成されるとともに、前記光源からの光を加飾させて遊技盤の前方側へ放射可能な放射体として構成され、前記ねじ孔を利用して、前面側から前記連結用筒体に取り付けられていることを特徴とする請求項３に記載のパチンコ遊技機。
【請求項６】
前記分割盤部が、合板から形成されていることを特徴とする請求項１乃至請求項５のいずれか１項に記載のパチンコ遊技機。
【請求項７】
前記分割盤部が、合成樹脂板から形成されていることを特徴とする請求項１乃至請求項５のいずれか１項に記載のパチンコ遊技機。
【発明の詳細な説明】
【技術分野】
【０００１】
本発明は、遊技盤が、盤面に沿う方向で複数に分割された分割盤部を連結させて構成されるパチンコ遊技機に関する。
【背景技術】
【０００２】
従来、パチンコ遊技機では、遊技盤が、盤面に沿う方向で複数に分割された分割盤部を連結させて構成されるものが知られている（例えば、特許文献１参照）。
【０００３】
このようなパチンコ遊技機では、遊技盤の一部の部分的な交換を、所定の分割盤部毎に選択して容易に行え、修理やリユースに便利となっていた。勿論、このようなパチンコ遊技機では、一枚の合板（ベニヤ板）や合成樹脂板から、センター役物の配設部位を繰り抜いて、遊技盤を製造する場合に比べて、小ピースに分割された板材からなる分割盤部を形成して、分割盤部相互を連結すれば遊技盤を製造でき、極力、加工屑を減少して、遊技盤を製造することができる等のメリットがあった。
【０００４】
なお、従来のパチンコ遊技機では、上下方向に三分割された三つの分割盤部から形成されて、分割盤部相互の連結は、係合片とその係合片に係合する係合孔、あるいは、ダボとダボを嵌入させるダボ穴、等の係合手段を利用していた。
【特許文献１】特開２００３−２９０４５７号公報
【発明の開示】
【発明が解決しようとする課題】
【０００５】
しかし、従来のパチンコ遊技機では、遊技盤の分割盤部が、合板や合成樹脂板から形成されており、分割盤部にねじ止めした取付部材（台板部等）を、修理等で取り外して、再度、取り付ける際、ねじ孔がバカ穴になって、取付不能となる場合があった。このような場合には、再度、ねじ孔を設ける等の加工が必要となって、手間となり、取付部材の交換、修理、リユース時等に不便となってしまう。
【０００６】
本発明は、上述の課題を解決するものであり、分割盤部からなる遊技盤に取り付けられる取付部材を、交換、修理、リユース時を含めて、容易に取り付けることができるパチンコ遊技機を提供することを目的とする。
【課題を解決するための手段】
【０００７】
本発明に係るパチンコ遊技機は、遊技盤が、盤面に沿う方向で複数に分割された分割盤部を連結させて構成されるパチンコ遊技機であって、
分割盤部が、対応する相互の連結部位に、それぞれ、遊技盤の前後方向で積層される連結片部を、備えて構成され、
分割盤部相互が、
対応する連結片部相互を、前後方向で積層させた状態として、
外周側に雄ねじを設けて内周側をねじ孔とした連結用筒体を、雄ねじを利用し、積層させた連結片部に貫通させつつ螺着させて、積層させた連結片部相互を締結することにより、
連結される構成とし、
連結用筒体が、複数使用されるとともに、複数の連結用筒体の少なくとも一つが、内周側のねじ孔により、遊技盤の前面側に取り付けられる取付部材を取り付けていることを特徴とする。
【０００８】
本発明に係るパチンコ遊技機では、分割盤部の連結片部相互を連結する連結用筒体が、外周側に雄ねじを設け、内周側にねじ孔を設けて構成されている。そのため、対応する連結片部相互を、前後方向に積層させた状態として、雄ねじを有した連結用筒体を、ねじ部材のように利用して、対応する連結片部相互に貫通させつつ螺着させれば、対応する連結片部相互を締結でき、分割盤部が相互に連結されて、遊技盤を製造することができる。
【０００９】
また、連結用筒体は、内周側がねじ孔として構成されており、所定の連結用筒体の内周側のねじ孔を利用して、遊技盤の前面側に取り付けられる取付部材を、所定の取付ねじを利用したねじ止めにより、取り付けることができる。そして、連結用筒体を、予め、ねじ孔を含めて、耐久性を有した材料（例えば、金属材料）から形成しておけば、取付部材の取り付けや取り外しを繰り返しても、ねじ孔がバカ穴にならず、取付部材の着脱を円滑に行うことができる。
【００１０】
したがって、本発明に係るパチンコ遊技機では、分割盤部からなる遊技盤に取り付けられる取付部材を、連結用筒体のねじ孔に螺合する取付ねじを利用して、容易に、遊技盤に取り付けることができ、交換、修理、リユース時を含めて、取付部材の取付が容易となる。
【００１１】
勿論、本発明に係るパチンコ遊技機では、遊技盤が複数の分割盤部から構成されており、分割盤部から構成されるメリット、すなわち、遊技盤の一部の部分的な交換を、所定の分割盤部毎に選択して容易に行え、遊技盤の修理やリユースに便利となり、さらに、小ピースに分割された板材の分割盤部から、遊技盤が形成されており、極力、加工屑を減少して、遊技盤を製造することができる等のメリットも確保できる。
【００１２】
さらに、本発明に係るパチンコ遊技機では、複数の分割盤部を連結した連結用筒体の内周側を利用して、取付部材を取り付ける構成であり、別途、別々の位置で、分割盤部相互の連結や取付部材の取付を行う場合に比べて、遊技盤の遊技領域を狭めることを、極力、抑制することができる。
【００１３】
そして、本発明に係るパチンコ遊技機では、分割盤部相互の対応する連結片部は、前後方向に積層させる際に、分割盤部の相互の前面側を面一とするように、相互に嵌合可能な凹部若しくは凸部を設けて、構成することが望ましい。このような構成では、連結した分割盤部の前面を、面一の平面に形成できて、分割盤部の連結部位が、遊技球の通過領域となっても、支障なく、遊技球を通過させることができる。
【００１４】
また、本発明に係るパチンコ遊技機では、複数の連結用筒体の少なくとも一つは、ねじ孔を遊技盤の後面側まで貫通させて、配設することが望ましい。このような構成では、遊技盤の後面側まで貫通させたねじ孔を利用して、遊技盤の後面側に取り付けられる取付部材（例えば、盤裏カバー、裏樋、液晶ベース等）の着脱を容易に行うことができ、後面側の取付部材の交換、修理、リユース時の取付が容易となる。
【００１５】
さらに、複数の連結用筒体の少なくとも一つが、ねじ孔を遊技盤の後面側まで貫通して、配設されている場合には、そのねじ孔を有した連結用筒体の後面側に、光源を配設し、光源の前方の取付部材を、光源からの光を透過可能な透過材料から形成するとともに、光源からの光を加飾させて遊技盤の前方側へ放射可能な放射体として構成して、その放射体を、ねじ孔を利用して、前面側から連結用筒体に取り付けてもよい。このような構成では、後面側に配置した光源の光を、連結用筒体の内周側を通した後、放射体から、遊技盤の意匠効果を高めるように、加飾させて、遊技盤の前方側へ放射することができる。
【００１６】
なお、分割盤部は、合板や合成樹脂板から形成することができ、合成樹脂板から形成する場合には、アクリルやポリカーボネイト等の透明材料から形成してもよい。また、分割盤部を合成樹脂板から形成する場合には、小ピースの板材から切削等の加工により形成する他、射出成形等の型成形により、形成してもよい。
【００１７】
さらに、分割盤部には、相互に連結する前に、連結用筒体のねじ孔を利用して取り付ける部位を除き、風車、役物等の遊技盤の前面側に取り付けられる取付部材を、釘とともに、前面側に、取り付けて構成しておいたり、あるいは、分割盤部を相互に連結して遊技盤を製造した後、遊技盤の略全域にかけて、一体的に、連結用筒体のねじ孔を利用しつつ、風車、役物等の取付部材を、釘とともに、連結した分割盤部の前面側の所定位置に、取り付けてもよい。
【発明を実施するための最良の形態】
【００１８】
以下、本発明の一実施形態を図面に基づいて説明すると、実施形態のパチンコ遊技機（以下、単に遊技機と略す）１では、図１に示すように、機枠３の上部前面側に、額縁状の前面枠５が、軸支部４，４を利用して、回動自在に軸支されて配設されている。前面枠５の前面側の下部の前板部８には、公知の操作ハンドル９や皿ユニット１２が配設されている。また、前面枠５の前面側には、ガラス板１１を設けたガラス扉枠１０が取り付けられている。
【００１９】
そして、前面枠５の後面側には、図４に示すように、遊技盤１４を取り付けるための固定具６が三箇所に配設されている。各固定具６には、鉛直方向に沿って回動する押え片７が、配設されている。また、前面枠５の後面側には、遊技盤１４を嵌め込む嵌合部５ａが形成され、各押え片７は、嵌合部５ａに嵌め込まれた遊技盤１４の後面１４ｂを押えて、前面枠５に遊技盤１４を取り付ける役目を果たす。さらに、嵌合部５ａには、遊技盤１４の位置決めが容易なように、遊技盤１４の嵌合凹部（穴部）１４ｃに嵌合可能な嵌合凸部５ｂも、配設されている。
【００２０】
遊技盤１４の前面側となる遊技盤面１４ａには、図１に示すように、外側レール３５と内側レール３６とで囲まれた遊技領域１５が配設され、遊技領域１５には、その中央に、センター役物４４が配設されている。センター役物４４の周囲には、図示しない釘、風車３７、普通入賞口３８、賞球の無い入賞口３９、始動入賞口４０、電動チューリップ４１、大入賞口４２、アウト口４３等の公知の取付部材３４が配設されている。そして、操作ハンドル９を操作し、遊技球を外側レール３５と内側レール３６との間から遊技領域１５に打ち出せば、遊技球は、普通入賞口３８、賞球の無い入賞口３９、始動入賞口４０、電動チューリップ４１、大入賞口４２、アウト口４３、センター役物４４のいずれかに入球する。そして、遊技球が、普通入賞口３８、開放時の大入賞口４２、センター役物４４に入賞すれば、所定数の遊技球を獲得でき、入賞口３９に入賞すれば、抽選により電動チューリップ４１を所定時間若しくは所定回数開放させることとなる。また、遊技球が、始動入賞口４０や開放時の電動チューリップ４１に入賞すれば、抽選により、大当たり、中当たり、小当たり等の当たりや外れが決定され、当たりとなれば、大入賞口４２やセンター役物４４の片開きチューリップ４４ａを、その当たりに応じて開放時間、開放回数、入賞個数等を制限して、開放することとなる。これらの作動や遊技フローは、公知のものであり、遊技盤面１４ａの背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させることとなる。なお、センター役物４４では、片開きチューリップ４４ａの開き時、遊技球が入球すれば、所定数の遊技球を払い出すとともに、入球した遊技球を、傾斜路４４ｂ、４４ｃ、４４ｄ、４４ｅ、４４ｆ、４４ｇを入球口４４ｈまで順次転動させ、その際、当たりに応じて、振り分け装置４４ｉによって、入球口４４ｈまで到達しないように、センター役物４４から排出している。
【００２１】
そして、実施形態の遊技盤１４は、図１〜４に示すように、透明なアクリル製の合成樹脂から形成されるとともに、遊技盤面１４ａに沿う方向で三つに分割された分割盤部１６，２１，２６を連結させて構成されている。分割盤部１６は、センター役物４４の下方側に配設され、分割盤部２１は、センター役物４４の左方側から上方側にかける領域に配設され、分割盤部２６は、センター役物４４の右方側から上方側にかける領域に配設されている。
【００２２】
各分割盤部１６，２１，２６は、それぞれ、対応する相互の連結部位に配置される連結片部１８，１９，２３，２４，２８，２９と、連結片部１８，１９，２３，２４，２８，２９以外の部位の本体部１７，２２，２７と、を備えて構成されている。実施形態の場合、連結片部１８，１９，２３，２４，２８，２９は、それぞれ、遊技盤１４の前後方向で積層するように配設されている。
【００２３】
すなわち、連結片部１８は、分割盤部１６の本体部１７における左方側の上縁に配設され、連結片部１９は、分割盤部１６の本体部１７における右方側の上縁に配設されている。連結片部２４は、分割盤部２１の本体部２２の下縁側に配置されて、本体部１７，２２相互を面一とするように、連結片部１８の後方側に重なって連結されるもので、連結片部１８の後方側の凹部１８ａに嵌るように、前面側に連結片部１８を配置させる凹部２４ａを設けて、構成されている。連結片部２８は、分割盤部２６の本体部２７の下縁側に配置されて、本体部１７，２７相互を面一とするように、連結片部１９の前方側に重なって連結されるもので、連結片部１９の前方側の凹部１９ａに嵌るように、後面側に連結片部１９を配置させる凹部２８ａを設けて配置されている。また、分割盤部２１の本体部２２における右縁に配置される連結片部２３と、分割盤部２６の本体部２７における左縁に配置される連結片部２９とは、相互に連結されるものである。そして、本体部２２，２７相互を面一とするように、連結片部２３が、後面側に連結片部２９を配置させる凹部２３ａを備え、連結片部２９が、前面側に連結片部２３を配置させる凹部２９ａを備えて構成されている。
【００２４】
そして、前後で積層される連結片部１８，２４相互、連結片部２８，１９相互、及び、連結片部２３，２９相互は、対応する二箇所ずつの位置に、前後に貫通する貫通孔１８ｂ，２４ｂ，２８ｂ，１９ｂ，２３ｂ，２９ｂを備えて構成されている。これらの前後で貫通する貫通孔１８ｂ，２４ｂ、貫通孔２８ｂ，１９ｂ、及び、貫通孔２３ｂ，２９ｂには、連結片部１８，２４相互、連結片部２８，１９相互、及び、連結片部２３，２９相互を連結するための連結用筒体３１が、螺着されている。連結用筒体３１は、図５に示すように、所謂、セルフ・タッピング・インサートと言われるものであり、アルミニウム合金等の金属材料から形成され、外周側に雄ねじ３１ａが設けられるとともに、内周側にねじ孔３１ｂが設けられて構成されている。連結用筒体３１の一方の端面には、貫通孔１８ｂ，２４ｂ、貫通孔２８ｂ，１９ｂ、及び、貫通孔２３ｂ，２９ｂに絞め込む際にドライバー等の治具を嵌める凹溝３２が形成されている。
【００２５】
なお、実施形態の場合、連結用筒体３１は、遊技盤１４の後面１４ｂ側まで、ねじ孔３１ｂを貫通させて配設されている。
【００２６】
また、実施形態の場合、連結用筒体３１を嵌め込む際、貫通孔１８ｂ，２４ｂ相互、貫通孔２８ｂ，１９ｂ相互、及び、貫通孔２３ｂ，２９ｂ相互の配置位置を一致させ易いように、連結片部１８，２４相互、連結片部２８，１９相互、及び、連結片部２３，２９相互には、相互に嵌合される位置決め用の係合凸部１４ｄと係合凹部１４ｅとが、対応して、配設されている（図２，３，１０参照）。
【００２７】
さらに、連結片部１８，２４相互、連結片部２８，１９相互、及び、連結片部２３，２９相互を連結した際の連結用筒体３１の内、実施形態の場合、図３に示すように、４つの連結用筒体３１Ａ，３１Ｂ，３１Ｃ，３１Ｄ，３１Ｅは、ねじ孔３１ｂに螺合する取付ねじ３３，５１を利用して、遊技盤１４の前面（遊技盤面）１４ａ側に取り付けられる取付部材（前側部材）３４を取り付けている。
【００２８】
すなわち、連結用筒体３１Ａ，３１Ｂ，３１Ｃは、取付部材３４としてのセンター役物４４の台板部４５を、遊技盤１４に取り付けるために使用されるもので、各取付ねじ３３を、台板部４５の各取付孔４５ａを経て、連結用筒体３１Ａ，３１Ｂ，３１Ｃのねじ孔３１ｂに螺着させることにより、台板部４５を遊技盤１４の前面（遊技盤面）１４ａ側に取り付けている（図３，６参照）。
【００２９】
連結用筒体３１Ｄのねじ孔３１ｂは、図３，７に示すように、取付部材３４としての透明な放射体４７を遊技盤１４に取り付けるために使用される。放射体４７は、透明なアクリル等の合成樹脂から形成され、ねじ孔３１ｂに螺合される雄ねじ部４７ｂと、雄ねじ部４７ｂの端部に配置されて、遊技盤面１４ａに露出される頭部４７ａと、を備えて構成されている。頭部４７ａは、多数の屈折光を放射可能に多数のカット面を設けて構成された略半球状としている。この放射体４７を取り付けた連結用筒体３１Ｄにおける遊技盤１４の後面１４ｂ側には、発光ダイオード等からなる光源５７が配設されている。そのため、光源５７から発する光が、雄ねじ部４７ｂを経て頭部４７ａに到達すれば、その頭部４７ａから種々の方向に屈折されて放射される。すなわち、この放射体４７が、光源５７からの光を、加飾させて遊技盤１４の前方側へ放射させることができて、遊技機１の意匠効果を高めることができる。
【００３０】
また、連結用筒体３１Ｅは、図３，８に示すように、取付部材３４としての装飾板４９を、遊技盤１４に取り付けるために使用され、取付ねじ５１を装飾板４９の取付孔４９ａを経て、連結用筒体３１Ｅのねじ孔３１ｂに螺着させることにより、装飾板４９を遊技盤１４の前面（遊技盤面）１４ａ側に取り付けている。さらに、この連結用筒体３１Ｅでは、遊技盤１４の後面１４ｂ側まで貫通させねじ孔３１ｂを利用して、遊技盤１４の後面１４ｂ側に取り付けられる取付部材（後側部材）５５を取り付けている。すなわち、連結用筒体３１Ｅは、取付ねじ５３を、後面１４ｂ側の取付部材５５としての盤裏カバー５６の取付孔５６ａを経て、ねじ孔３１ｂに螺合させることにより、盤裏カバー５６を遊技盤１４の後面１４ｂ側に取り付けている。ちなみに、この盤裏カバー５６は、液晶モジュール等の遊技盤１４の後面１４ｂ側に表れる部位、部材、部品を広く覆うものである。
【００３１】
なお、この遊技盤１４では、各分割盤部１６，２１，２６の本体部１７，２２，２７にも、取付部材３４（図例では台板部４５）をねじ止めして、取り付けるために、貫通孔１７ａ，２２ａ，２７ａを設けて、連結用筒体３１を螺着させている（図９参照）。
【００３２】
そして、実施形態の場合、製造時には、所定形状の合成樹脂板から対応する外形形状を切り出すとともに、入賞口３８やセンター役物４４等の開口や、各貫通孔１８ｂ，１９ｂ，２３ｂ，２４ｂ，２８ｂ，２９ｂ，１７ａ，２２ａ，２７ａ、さらには、嵌合凹部１４ｃ、係合凸部１４ｄ、係合凹部１４ｅ等を形成して、各分割盤部１６，２１，２６を、準備する。
【００３３】
そして、係合凸部１４ｄと係合凹部１４ｅとを相互に係合させつつ、連結片部１８，２４相互、連結片部２８，１９相互、及び、連結片部２３，２９相互を、それぞれ、前後に重ね、ついで、前後で貫通する貫通孔１８ｂ，２４ｂ、貫通孔２８ｂ，１９ｂ、及び、貫通孔２３ｂ，２９ｂに、連結用筒体３１を螺着させる。これにより、連結片部１８，２４相互、連結片部２８，１９相互、及び、連結片部２３，２９相互が連結され、遊技盤１４が一枚の板状に連結される。
【００３４】
その後、取付ねじ３３，５１，５３を使用して、取付部材３４としての台板部４５、放射体４７、装飾板４９を遊技盤面１４ａに取り付けるとともに、遊技盤１４の後面１４ｂ側に取付部材５５としての盤裏カバー５６を取り付ける。さらに、図示しない釘とともに、他の外側レール３５、内側レール３６、風車３７、普通入賞口３８、賞球の無い入賞口３９、始動入賞口４０、電動チューリップ４１、大入賞口４２、サイドランプ等の前面１４ａ側に取り付ける取付部材３４や、裏樋や液晶ベース等の後面１４ｂ側に取り付ける取付部材５５を遊技盤１４に取り付ける。そして、遊技盤１４は、既述したように、前面枠５の嵌合部５ａに嵌め込み、嵌合凹部１４ｃに嵌合凸部５ｂを嵌合させるとともに、各固定具６の押え片７を利用して、前面枠５に取り付ければ、遊技機１として利用可能となる。
【００３５】
この実施形態の遊技機１では、分割盤部１６，２１，２６の連結片部１８，２４相互、連結片部２８，１９相互、及び、連結片部２３，２９相互を連結する連結用筒体３１が、外周側に雄ねじ３１ａを設け、内周側にねじ孔３１ｂを設けて構成されている。そのため、対応する連結片部１８，２４相互、連結片部２８，１９相互、及び、連結片部２３，２９相互を、前後方向に積層させた状態として、雄ねじ３１ａを有した連結用筒体３１を、ねじ部材のように利用して、対応する連結片部１８，２４相互、連結片部２８，１９相互、及び、連結片部２３，２９相互における前後で貫通する貫通孔１８ｂ，２４ｂ、貫通孔２８ｂ，１９ｂ、及び、貫通孔２３ｂ，２９ｂに貫通させつつ螺着させれば、対応する連結片部１８，２４相互、連結片部２８，１９相互、及び、連結片部２３，２９相互を締結でき、分割盤部１６，２１，２６が相互に連結されて、遊技盤１４を製造することができる。
【００３６】
また、連結用筒体３１は、内周側がねじ孔３１ｂとして構成されており、所定の連結用筒体３１（３１Ａ，３１Ｂ，３１Ｃ，３１Ｄ，３１Ｅ）の内周側のねじ孔３１ｂを利用して、遊技盤１４の前面側に取り付けられる取付部材３４（台板部４５、放射体４７、装飾板４９）を、所定の取付ねじ３３，５１を利用したねじ止めにより、取り付けることができる。そして、連結用筒体３１が、予め、ねじ孔３１ｂを含めて、分割盤部１６，２１，２６を形成する合成樹脂材料に比べて、耐久性を有した金属材料（実施形態ではアルミニウム合金）から形成されており、取付部材３４の取り付けや取り外しを繰り返しても、ねじ孔３１ｂがバカ穴にならず、取付部材３４の着脱を円滑に行うことができる。
【００３７】
したがって、実施形態の遊技機１では、分割盤部１６，２１，２６からなる遊技盤１４に取り付けられる取付部材３４を、連結用筒体３１のねじ孔３１ｂに螺合する取付ねじ３３，５１を利用して、容易に、遊技盤１４に取り付けることができ、交換、修理、リユース時を含めて、取付部材３４の取付が容易となる。
【００３８】
勿論、実施形態の遊技機１では、遊技盤１４が複数の分割盤部１６，２１，２６から構成されており、分割盤部１６，２１，２６から構成されるメリット、すなわち、遊技盤１４の一部の部分的な交換を、所定の分割盤部１６，２１，２６毎に選択して容易に行え、遊技盤１４の修理やリユースに便利となり、さらに、小ピースに分割された板材の分割盤部１６，２１，２６から、遊技盤１４が形成されており、極力、加工屑を減少して、遊技盤１４を製造することができる等のメリットも確保できる。
【００３９】
さらに、実施形態の遊技機１では、複数の分割盤部１６，２１，２６を連結した連結用筒体３１の内周側を利用して、取付部材３４を取り付ける構成であり、別途、別々の位置で、分割盤部１６，２１，２６相互の連結や取付部材３４の取付を行う場合に比べて、遊技盤１４の遊技領域１５を狭めることを、極力、抑制することができる。
【００４０】
そして、実施形態の遊技機１では、分割盤部１６，２１，２６相互の対応する連結片部１８，２４相互、連結片部２８，１９相互、及び、連結片部２３，２９相互が、前後方向に積層させる際に、分割盤部１６，２１，２６の本体部１７，２２，２７相互の前面側を面一とするように、相互に嵌合可能な凹部１８ａ，２４ａ，２８ａ，１９ａ，２３ａ，２９ａを設けて構成されている。そのため、連結した分割盤部１６，２１，２６の前面１６ａ，２１ａ，２６ａを、面一の平面に形成できて、分割盤部１６，２１，２６の連結部位が、遊技球の通過領域となっても、支障なく、遊技球を通過させることができる。
【００４１】
なお、実施形態では、連結片部１８，２４相互、連結片部２８，１９相互、及び、連結片部２３，２９相互を、凹部１８ａ，１９ａ，２３ａ，２４ａ，２８ａ，２９ａを設けて、面一とする構成を示したが、前後方向に積層させるように、凹部や凸部を組み合わせたり、凸部相互を重ねて、面一の平面に形成してもよい。例えば、図１１に示す分割盤部１６Ａ，２１Ａのように、凹溝１８ｃを間に設けた連結片部１８Ａ，１８Ａと、凹溝１８ｃに嵌合される突条２４ｃを設けてなる連結片部２４Ａと、を、連結用筒体３１を締め付けて、前後方向に積層させるようして相互に連結させてもよい。
【００４２】
また、実施形態の遊技機１では、連結用筒体３１Ｅが、図８に示すように、ねじ孔３１ｂを遊技盤１４の後面１４ｂ側まで貫通させて、配設されている。そのため、このような構成では、遊技盤１４の後面１４ｂ側まで貫通させたねじ孔３１ｂを利用して、遊技盤１４の後面１４ｂ側に取り付けられる取付部材５５（例えば、盤裏カバー５６）の着脱を容易に行うことができ、後面１４ｂ側の取付部材５５の交換、修理、リユース時の取付が容易となる。
【００４３】
さらに、実施形態の場合、図７に示すように、ねじ孔３１ｂを遊技盤１４の後面１４ｂ側まで貫通させて配設させている連結用筒体３１Ｄには、そのねじ孔３１ｂを利用して、取付部材３４としての透明な放射体４７が、前面（遊技盤面）１４ａ側から取り付けられている。そして、放射体４７を取り付けた連結用筒体３１Ｄの後面１４ｂ側に、光源５７が配設されている。このような構成では、後面１４ｂ側に配置した光源５７の光を、連結用筒体３１Ｄの内周側を通しつつ、放射体４７から、意匠効果を高めて、前面（遊技盤面）１４ａ側に光らせるようにすることができる。
【００４４】
なお、放射体としては、後面１４ｂ側に配置させる光源の光を透過可能な透過材料から形成されて、光源からの光を加飾させて遊技盤１４の前方側へ放射可能であれば、実施形態のような光源５７からの光を屈折させて、多数の屈折光を放射するような多数のカット面を設けて構成する他、レンズ状として、光源の光を拡散させたり収束させるように加飾させて、放射するように構成してもよい。さらに、別途、蛍光剤等の所定の処理層を頭部４７ａ側に設け、光源にブラックライトを使用して、ブラックライトの光を利用して、処理層を発光させて、輝度を高めるように加飾した光を遊技盤１４の前方側へ放射するように、放射体４７を構成してもよい。
【００４５】
また、実施形態の場合、分割盤部１６，２１，２６を、透明材料とする場合、アクリルの他、ポリカーボネイトの合成樹脂板から形成することができ、また、分割盤部１６，２１，２６を合成樹脂板から形成する場合には、小ピースの板材から切削等の加工により形成する他、射出成形等の型成形により、形成してもよい。
【００４６】
勿論、分割盤部１６，２１，２６は、合板から形成してもよい。なお、図１１に示す分割盤部１６Ａ，２１Ａは、合板から形成されている。
【００４７】
さらに、分割盤部１６，２１，２６には、相互に連結する前に、連結用筒体３１のねじ孔３１ｂを利用して取り付ける部位を除き、釘とともに、風車、役物等の遊技盤１４の前面（遊技盤面）１４ａ側に取り付けられる取付部材３４を、前面（遊技盤面）１４ａ側に、取り付けて構成しておいたり、あるいは、実施形態のように、分割盤部１６，２１，２６を相互に連結して遊技盤１４を製造した後、遊技盤１４の略全域にかけて、一体的に、連結用筒体３１のねじ孔３１ｂを利用しつつ、釘とともに、風車、役物等の取付部材３４を、連結した分割盤部１６，２１，２６の前面（遊技盤面）１４ａ側の所定位置に、取り付けてもよい。
【００４８】
なお、実施形態では、遊技盤１４を三つの分割盤部１６，２１，２６に分割したが、二個、あるいは、四個以上の複数の分割盤部から遊技盤１４を形成してもよい。
【００４９】
また、実施形態では、図７に示すように、放射体４７を、分割盤部１６，２１の連結片部１８，２４相互を連結した連結用筒体３１Ｄのねじ孔３１ｂに螺合させて配設した場合を示したが、連結片部の部位ばかりでなく、分割盤部の本体部の位置に設けてもよい。さらに、放射体４７の放射する光の意匠効果を確保できれば、分割盤部でなくとも、一枚状の遊技盤に連結用筒体３１を設け、そのねじ孔３１ｂを利用して、その遊技盤に配設してもよい。
【００５０】
さらに、分割盤部における連結片部の部位に限らず、遊技盤１４の前面１４ａや後面１４ｂに取り付けられる取付部材の全てを、連結用筒体３１を利用して、遊技盤１４に取り付けるようにしてもよい。
【図面の簡単な説明】
【００５１】
【図１】本発明の一実施形態のパチンコ遊技機を示す概略正面図である。
【図２】実施形態の分割盤部を示す概略正面図である。
【図３】実施形態の分割盤部を連結する状態を示す概略正面図である。
【図４】実施形態のパチンコ遊技機の背面から見た分解斜視図である。
【図５】実施形態で使用する連結用筒体を示す概略斜視図である。
【図６】実施形態の分割盤部相互の連結状態を示す概略断面図であり、図３のVI−VI部位に対応する。
【図７】実施形態の分割盤部相互の連結状態を示す概略断面図であり、図３のVII−VII部位に対応する。
【図８】実施形態の分割盤部相互の連結状態を示す概略断面図であり、図３のVIII−VIII部位に対応する。
【図９】実施形態の分割盤部の本体部での取付部材の取付状態を示す断面図であり、図３のIX−IX部位に対応する。
【図１０】実施形態の分割盤部相互の連結状態を示す概略断面図であり、図３のＸ−Ｘ部位に対応する。
【図１１】他の実施形態における分割盤部相互の連結状態を示す概略断面図である。
【符号の説明】
【００５２】
１…（パチンコ）遊技機、
１４…遊技盤、
１４ａ…前面、遊技盤面、
１６，２１，２６…分割盤部、
１８，１９，２３，２４，２８，２９…取付片部、
１８ｂ，１９ｂ，２３ｂ，２４ｂ，２８ｂ，２９ｂ…凹部、
３１…連結用筒体、
３１ａ…雄ねじ、
３１ｂ…ねじ孔、
３３，５１，５３…取付ねじ、
３４…（遊技盤の前面側に取り付ける）取付部材、
４５…台板部、
４７…放射体、
４９…装飾板、
５５…（遊技盤の後面側に取り付ける）取付部材、
５６…盤裏カバー。
【図１】
2010099224.tif 000003
【図２】
2010099224.tif 000004
【図３】
2010099224.tif 000005
【図４】
2010099224.tif 000006
【図５】
2010099224.tif 000007
【図６】
2010099224.tif 000008
【図７】
2010099224.tif 000009
【図８】
2010099224.tif 000010
【図９】
2010099224.tif 000011
【図１０】
2010099224.tif 000012
【図１１】
2010099224.tif 000013